(57)【要約】  本開示の実施例は、ＰＤＣＣＨブラインド検出方法、端末及びネットワーク側機器を提供する。該方法において、端末がパワーセーブ信号ウィンドウ内でパワーセーブ信号を検出することと、前記端末が、前記パワーセーブ信号を検出すると、前記パワーセーブ信号が検出された位置との間の距離が所定の時間距離範囲内である目標時間内にＰＤＣＣＨをブラインド検出することとを含む。【選択図】  図２
2021525494.tif 000002
【特許請求の範囲】
【請求項１】
物理下り制御チャネルＰＤＣＣＨブラインド検出方法において、
端末がパワーセーブ信号ウィンドウ内でパワーセーブ信号を検出することと、
前記端末が、前記パワーセーブ信号を検出すると、前記パワーセーブ信号が検出された位置との間の距離が所定の時間距離範囲内である目標時間内にＰＤＣＣＨをブラインド検出することと、
を含む、ＰＤＣＣＨブラインド検出方法。
【請求項２】
前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である、請求項１に記載の方法。
【請求項３】
前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある、請求項２に記載の方法。
【請求項４】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項２に記載の方法。
【請求項５】
前記端末が、前記パワーセーブ信号の候補位置で低消費電力受信機で前記パワーセーブ信号を検出し、又は、
前記端末が、前記パワーセーブ信号をパッシブ受信機で検出し、ここで、前記パワーセーブ信号の検出位置は、少なくとも、前記パワーセーブ信号ウィンドウが存在する位置を含む、請求項４に記載の方法。
【請求項６】
前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される、請求項１〜５のいずれか一項に記載の方法。
【請求項７】
前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない、請求項６に記載の方法。
【請求項８】
前記パワーセーブ信号は、第１信号サブセットと第２信号サブセットを含み、且つ前記第１信号サブセットは、前記第２信号サブセットよりも前である、請求項１〜５のいずれか一項に記載の方法。
【請求項９】
前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない、請求項８に記載の方法。
【請求項１０】
前記端末が、前記パワーセーブ信号を検出すると、ＤＲＸの活性化時間内にＰＤＣＣＨをブラインド検出することは、
前記端末が、前記第１信号サブセットを検出すると、前記端末の受信機をウェイクアップすることと、
前記端末が、前記第２信号サブセットを検出すると、ＤＲＸの活性化時間内にＰＤＣＣＨをブラインド検出することを含む、請求項８に記載の方法。
【請求項１１】
前記端末が、ネットワーク側機器から設定される前記パワーセーブ信号ウィンドウの設定情報を半静的、静的又は動的に取得する、請求項１〜５のいずれか一項に記載の方法。
【請求項１２】
ＰＤＣＣＨモニタリング方法において、
ネットワーク側機器からパワーセーブ信号ウィンドウ内でパワーセーブ信号を送信することを含み、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する、ＰＤＣＣＨモニタリング方法。
【請求項１３】
前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である、請求項１２に記載の方法。
【請求項１４】
前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある、請求項１３に記載の方法。
【請求項１５】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項１３に記載の方法。
【請求項１６】
前記ネットワーク側機器が、前記パワーセーブ信号を低消費電力送信機で送信する、請求項１２に記載の方法。
【請求項１７】
前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される、請求項１２〜１６のいずれか一項に記載の方法。
【請求項１８】
前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない、請求項１７に記載の方法。
【請求項１９】
前記パワーセーブ信号は、第１信号サブセットと第２信号サブセットを含み、且つ前記第１信号サブセットは、前記第２信号サブセットよりも前である、請求項１２〜１６のいずれか一項に記載の方法。
【請求項２０】
前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない、請求項１９に記載の方法。
【請求項２１】
前記ネットワーク側機器が、前記パワーセーブ信号ウィンドウの設定情報を半静的、静的又は動的に前記端末に設定する、請求項１２〜１６のいずれか一項に記載の方法。
【請求項２２】
端末がパワーセーブ信号ウィンドウ内でパワーセーブ信号を検出するための検出モジュールと、
前記パワーセーブ信号が検出されると、前記パワーセーブ信号が検出された位置との間の距離が所定の時間距離範囲内である目標時間内にＰＤＣＣＨをブラインド検出するためのブラインド検出モジュールと、
を含む、端末。
【請求項２３】
前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である、請求項２２に記載の端末。
【請求項２４】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項２３に記載の端末。
【請求項２５】
前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される、請求項２３又は２４に記載の端末。
【請求項２６】
前記パワーセーブ信号は、第１信号サブセットと第２信号サブセットを含み、且つ前記第１信号サブセットは、前記第２信号サブセットよりも前である、請求項２３又は２４に記載の端末。
【請求項２７】
パワーセーブ信号ウィンドウ内でパワーセーブ信号を送信するための送信モジュールを含み、
前記送信モジュールによる送信によって、端末が、前記パワーセーブ信号を検出すると、前記パワーセーブ信号が検出された位置との間の距離が所定の時間距離範囲内である目標時間内にＰＤＣＣＨをブラインド検出する、ネットワーク側機器。
【請求項２８】
前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である、請求項２７に記載のネットワーク側機器。
【請求項２９】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項２８に記載のネットワーク側機器。
【請求項３０】
前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される、請求項２７〜２９のいずれか一項に記載のネットワーク側機器。
【請求項３１】
前記パワーセーブ信号は、第１信号サブセットと第２信号サブセットを含み、且つ前記第１信号サブセットは、前記第２信号サブセットよりも前である、請求項２７〜２９のいずれか一項に記載のネットワーク側機器。
【請求項３２】
トランシーバと、メモリと、プロセッサと、前記メモリに格納されて前記プロセッサで動作可能なプログラムを含む端末であって、
前記プロセッサは、パワーセーブ信号ウィンドウ内でパワーセーブ信号を検出し、前記パワーセーブ信号を検出すると、前記パワーセーブ信号が検出された位置との間の距離が所定の時間距離範囲内である目標時間内にＰＤＣＣＨをブラインド検出する、端末。
【請求項３３】
前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である、請求項３２に記載の端末。
【請求項３４】
前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある、請求項３３に記載の端末。
【請求項３５】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項３３に記載の端末。
【請求項３６】
前記プロセッサは、前記パワーセーブ信号の候補位置で低消費電力受信機で前記パワーセーブ信号を検出し、又は、
前記プロセッサは、前記パワーセーブ信号をパッシブ受信機で検出し、ここで、前記パワーセーブ信号の検出位置は、少なくとも、前記パワーセーブ信号ウィンドウが存在する位置を含む、請求項３５に記載の端末。
【請求項３７】
前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される、請求項３２〜３６のいずれか一項に記載の端末。
【請求項３８】
前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない、請求項３７に記載の端末。
【請求項３９】
前記パワーセーブ信号は、第１信号サブセットと第２信号サブセットを含み、且つ前記第１信号サブセットは、前記第２信号サブセットよりも前である、請求項３２〜３６のいずれか一項に記載の端末。
【請求項４０】
前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない、請求項３９に記載の端末。
【請求項４１】
前記パワーセーブ信号を検出すると、ＤＲＸの活性化時間内にＰＤＣＣＨをブラインド検出することは、
前記第１信号サブセットを検出すると、前記端末の受信機をウェイクアップすることと、
前記第２信号サブセットを検出すると、ＤＲＸの活性化時間内にＰＤＣＣＨをブラインド検出することを含む、請求項３９に記載の端末。
【請求項４２】
前記端末が、ネットワーク側機器から設定される前記パワーセーブ信号ウィンドウの設定情報を半静的、静的又は動的に取得する、請求項３２〜３６のいずれか一項に記載の端末。
【請求項４３】
トランシーバと、メモリと、プロセッサと、前記メモリに格納されて前記プロセッサで動作可能なプログラムを含むネットワーク側機器であって、
前記プロセッサは、パワーセーブ信号ウィンドウ内でパワーセーブ信号を送信し、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する、ネットワーク側機器。
【請求項４４】
前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である、請求項４３に記載のネットワーク側機器。
【請求項４５】
前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある、請求項４４に記載のネットワーク側機器。
【請求項４６】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項４４に記載のネットワーク側機器。
【請求項４７】
前記プロセッサは、前記パワーセーブ信号を低消費電力送信機で送信する、請求項４３に記載のネットワーク側機器。
【請求項４８】
前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される、請求項４３〜４７のいずれか一項に記載のネットワーク側機器。
【請求項４９】
前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない、請求項４８に記載のネットワーク側機器。
【請求項５０】
前記パワーセーブ信号は、第１信号サブセットと第２信号サブセットを含み、且つ前記第１信号サブセットは、前記第２信号サブセットよりも前である、請求項４３〜４７のいずれか一項に記載のネットワーク側機器。
【請求項５１】
前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない、請求項５０に記載のネットワーク側機器。
【請求項５２】
前記ネットワーク側機器が、前記パワーセーブ信号ウィンドウの設定情報を半静的、静的又は動的に前記端末に設定する、請求項４３〜４７のいずれか一項に記載のネットワーク側機器。
【請求項５３】
コンピュータプログラムが格納されているコンピュータ読み取り可能な記憶媒体であって、
該プログラムがプロセッサによって実行されると、請求項１〜１１のいずれか一項に記載のＰＤＣＣＨブラインド検出方法が実現され、又は、該プログラムがプロセッサによって実行されると、請求項１２〜２１のいずれか一項に記載のＰＤＣＣＨモニタリング方法が実現される、コンピュータ読み取り可能な記憶媒体。
【発明の詳細な説明】
【技術分野】
【０００１】
本願は、２０１８年６月４日に中国特許庁に提出された中国特許出願２０１８１０５６３４８４．９の優先権を主張し、その全ての内容が援用によりここに取り込まれる。
本開示は、通信技術分野に係り、特に物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）ブラインド検出方法、端末及びネットワーク側機器に係る。
【背景技術】
【０００２】
５Ｇ  ＮＲ（Ｎｅｗ  Ｒａｄｉｏ）システムにおいて、端末の動作状態は、アイドル状態（ＲＲＣ＿ＩＤＬＥ）、非活性化状態（ＲＲＣ＿Ｉｎａｃｔｉｖｅ）及び接続状態（ＲＲＣ＿Ｃｏｎｎｅｃｔｅｄ）を含む。更に、省電力化の目的は、現在、主として不連続受信ＤＲＸ（Ｄｉｓｃｏｎｔｉｎｕｏｕｓ  Ｒｅｃｅｐｔｉｏｎ）メカニズムによって達成され、ＤＲＸ周期内には、活性化時間（Ｏｎ  ｄｕｒａｔｉｏｎ）周期及びＤＲＸスリープ時間（Ｏｐｐｏｒｔｕｎｉｔｙ  ｆｏｒ  ＤＲＸ）周期が含まれる。端末がＯｎ  ｄｕｒａｔｉｏｎ周期でのみＰＤＣＣＨをモニタリングし、ＤＲＸスリープ時間のＯｐｐｏｒｔｕｎｉｔｙ  ｆｏｒ  ＤＲＸ周期では、端末がＰＤＣＣＨを受信しないことで、電力消費を低減する。しかしながら、現在の通信システムでは、端末がＯｎ  ｄｕｒａｔｉｏｎ周期毎にＰＤＣＣＨをブラインド検出する必要があるため、端末の消費電力が比較的高い。
【発明の概要】
【発明が解決しようとする課題】
【０００３】
本開示の実施例は、端末の消費電力が比較的高いという問題を解決するために、ＰＤＣＣＨブラインド検出方法、端末及びネットワーク側機器を提供する。
【課題を解決するための手段】
【０００４】
上記目的を達成するために、本開示の実施例は、ＰＤＣＣＨブラインド検出方法を提供する。
ＰＤＣＣＨブラインド検出方法において、
端末がパワーセーブ信号ウィンドウ内でパワーセーブ信号を検出することと、
前記端末が、前記パワーセーブ信号を検出すると、前記パワーセーブ信号が検出された位置との間の距離が所定の時間距離範囲内である目標時間内にＰＤＣＣＨをブラインド検出することと、
を含む。
【０００５】
選択可能に、前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である。
【０００６】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【０００７】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【０００８】
選択可能に、前記端末が、前記パワーセーブ信号の候補位置で低消費電力受信機で前記パワーセーブ信号を検出し、又は、
前記端末が、前記パワーセーブ信号をパッシブ受信機で検出し、ここで、前記パワーセーブ信号の検出位置は、少なくとも、前記パワーセーブ信号ウィンドウが存在する位置を含む。
【０００９】
選択可能に、前記パワーセーブ信号ウィンドウに含まれる複数の候補位置の間の時間間隔は等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される。
【００１０】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【００１１】
選択可能に、前記パワーセーブ信号は、第１信号サブセットと第２信号サブセットを含み、且つ前記第１信号サブセットは、前記第２信号サブセットよりも前である。
【００１２】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【００１３】
選択可能に、前記端末が、前記パワーセーブ信号を検出すると、ＤＲＸの活性化時間内にＰＤＣＣＨをブラインド検出することは、
前記端末が、前記第１信号サブセットを検出すると、前記端末の受信機をウェイクアップすることと、
前記端末が、前記第２信号サブセットを検出すると、ＤＲＸの活性化時間内にＰＤＣＣＨをブラインド検出することを含む。
【００１４】
選択可能に、前記端末が、ネットワーク側機器から設定される前記パワーセーブ信号ウィンドウの設定情報を半静的、静的又は動的に取得する。
【００１５】
本開示の実施例は、ＰＤＣＣＨモニタリング方法を更に提供する。
ＰＤＣＣＨモニタリング方法において、
ネットワーク側機器からパワーセーブ信号ウィンドウ内でパワーセーブ信号を送信することを含み、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する。
【００１６】
選択可能に、前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である。
【００１７】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【００１８】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【００１９】
選択可能に、前記ネットワーク側機器が、前記パワーセーブ信号を低消費電力送信機で送信する。
【００２０】
選択可能に、前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される。
【００２１】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【００２２】
選択可能に、前記パワーセーブ信号は、第１信号サブセットと第２信号サブセットを含み、且つ前記第１信号サブセットは、前記第２信号サブセットよりも前である。
【００２３】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【００２４】
選択可能に、前記ネットワーク側機器が、前記パワーセーブ信号ウィンドウの設定情報を半静的、静的又は動的に前記端末に設定する。
【００２５】
本開示の実施例は、端末を更に提供する。
端末は、
端末がパワーセーブ信号ウィンドウ内でパワーセーブ信号を検出するための検出モジュールと、
前記パワーセーブ信号が検出されると、前記パワーセーブ信号が検出された位置との間の距離が所定の時間距離範囲内である目標時間内にＰＤＣＣＨをブラインド検出するためのブラインド検出モジュールと、
を含む。
【００２６】
選択可能に、前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である。
【００２７】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【００２８】
選択可能に、前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される。
【００２９】
選択可能に、前記パワーセーブ信号は、第１信号サブセットと第２信号サブセットを含み、且つ前記第１信号サブセットは、前記第２信号サブセットよりも前である。
【００３０】
本開示の実施例は、ネットワーク側機器を更に提供する。
ネットワーク側機器は、
パワーセーブ信号ウィンドウ内でパワーセーブ信号を送信するための送信モジュールを含み、
前記送信モジュールによる送信によって、端末が、前記パワーセーブ信号を検出すると、前記パワーセーブ信号が検出された位置との間の距離が所定の時間距離範囲内である目標時間内にＰＤＣＣＨをブラインド検出する。
【００３１】
選択可能に、前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である。
【００３２】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【００３３】
選択可能に、前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される。
【００３４】
選択可能に、前記パワーセーブ信号は、第１信号サブセットと第２信号サブセットを含み、且つ前記第１信号サブセットは、前記第２信号サブセットよりも前である。
【００３５】
本開示の実施例は、端末を更に提供する。
トランシーバと、メモリと、プロセッサと、前記メモリに格納されて前記プロセッサで動作可能なプログラムを含む端末は、
前記プロセッサは、パワーセーブ信号ウィンドウ内でパワーセーブ信号を検出し、前記パワーセーブ信号を検出すると、前記パワーセーブ信号が検出された位置との間の距離が所定の時間距離範囲内である目標時間内にＰＤＣＣＨをブラインド検出する。
【００３６】
選択可能に、前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である。
【００３７】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【００３８】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【００３９】
選択可能に、前記プロセッサは、前記パワーセーブ信号の候補位置で低消費電力受信機で前記パワーセーブ信号を検出し、又は、
前記プロセッサは、前記パワーセーブ信号をパッシブ受信機で検出し、ここで、前記パワーセーブ信号の検出位置は、少なくとも、前記パワーセーブ信号ウィンドウが存在する位置を含む。
【００４０】
選択可能に、前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される。
【００４１】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【００４２】
選択可能に、前記パワーセーブ信号は、第１信号サブセットと第２信号サブセットを含み、且つ前記第１信号サブセットは、前記第２信号サブセットよりも前である。
【００４３】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【００４４】
選択可能に、前記パワーセーブ信号を検出すると、ＤＲＸの活性化時間内にＰＤＣＣＨをブラインド検出することは、
前記第１信号サブセットを検出すると、前記端末の受信機をウェイクアップすることと、
前記第２信号サブセットを検出すると、ＤＲＸの活性化時間内にＰＤＣＣＨをブラインド検出することを含む。
【００４５】
選択可能に、前記端末が、ネットワーク側機器から設定される前記パワーセーブ信号ウィンドウの設定情報を半静的、静的又は動的に取得する。
【００４６】
本開示の実施例は、ネットワーク側機器を更に提供する。
トランシーバと、メモリと、プロセッサと、前記メモリに格納されて前記プロセッサで動作可能なプログラムを含むネットワーク側機器は、
前記プロセッサは、パワーセーブ信号ウィンドウ内でパワーセーブ信号を送信し、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する。
【００４７】
選択可能に、前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である。
【００４８】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【００４９】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【００５０】
選択可能に、前記プロセッサは、前記パワーセーブ信号を低消費電力送信機で送信する。
【００５１】
選択可能に、前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される。
【００５２】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【００５３】
選択可能に、前記パワーセーブ信号は、第１信号サブセットと第２信号サブセットを含み、且つ前記第１信号サブセットは、前記第２信号サブセットよりも前である。
【００５４】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【００５５】
選択可能に、前記ネットワーク側機器が、前記パワーセーブ信号ウィンドウの設定情報を半静的、静的又は動的に前記端末に設定する。
【００５６】
本開示の実施例は、記憶媒体を更に提供する。
コンピュータプログラムが格納されているコンピュータ読み取り可能な記憶媒体は、
該プログラムがプロセッサによって実行されると、本開示の実施例に係る端末側のＰＤＣＣＨブラインド検出方法が実現され、又は、該プログラムがプロセッサによって実行されると、本開示の実施例に係るネットワーク側機器側のＰＤＣＣＨモニタリング方法が実現される。
【発明の効果】
【００５７】
本開示の実施例において、端末がパワーセーブ信号ウィンドウ内でパワーセーブ信号を検出し、
前記端末が、前記パワーセーブ信号を検出すると、前記パワーセーブ信号が検出された位置との間の距離が所定の時間距離範囲内である目標時間内にＰＤＣＣＨをブラインド検出する。このように、パワーセーブ信号によってＰＤＣＣＨブラインド検出をトリガすることが実現され、端末の消費電力を低減することができる。
【図面の簡単な説明】
【００５８】
【図１】本開示の実施例の応用可能なネットワーク構造図である。
【図２】本開示の実施例に係るＰＤＣＣＨブラインド検出方法のフローチャートである。
【図３】本開示の実施例に係るＷＵＳウィンドウの概略図である。
【図４】本開示の実施例に係る別のＷＵＳウィンドウの概略図である。
【図５】本開示の実施例に係る別のＷＵＳウィンドウの概略図である。
【図６】本開示の実施例に係る別のＷＵＳウィンドウの概略図である。
【図７】本開示の実施例に係る別のＷＵＳウィンドウの概略図である。
【図８】本開示の実施例に係る別のＰＤＣＣＨブラインド検出方法のフローチャートである。
【図９】本開示の実施例に係る端末の構造図である。
【図１０】本開示の実施例に係るネットワーク側機器の構造図である。
【図１１】本開示の実施例に係る別の端末の構造図である。
【図１２】本開示の実施例に係る別のネットワーク側機器の構造図である。
【発明を実施するための形態】
【００５９】
本開示の解決しようとする技術課題、技術手段及び利点をよりも明確にするために、以下、図面及び具体的な実施例とともに詳細に記載する。
【００６０】
図１を参照する。図１は、本開示の実施例の応用可能なネットワーク構造図である。図１に示すように、端末１１とネットワーク側機器１２が含まれる。ここで、端末１１は、ユーザ端末ＵＥ（Ｕｓｅｒ  Ｅｑｕｉｐｍｅｎｔ）又は他の端末機器であり、例えば携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器である。なお、本開示の実施例では、端末の具体的な種類を限定しない。ネットワーク側機器１２は、マクロ基地局、ＬＴＥ  ｅＮＢ、５Ｇ  ＮＲ  ＮＢなどの基地局、ＬＰＮ（ｌｏｗ  ｐｏｗｅｒ  ｎｏｄｅ）、ｐｉｃｏ、ｆｅｍｔｏなどのスモール基地局、ＡＰ（ａｃｃｅｓｓ  ｐｏｉｎｔ）、又は、ＣＵ（ｃｅｎｔｒａｌ  ｕｎｉｔ）及びその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードである。なお、本開示の実施例では、ネットワーク側機器の具体的な種類を限定しない。
【００６１】
図２を参照する。図２は、本開示の実施例に係るＰＤＣＣＨブラインド検出方法のフローチャートであり、図２に示すように、
端末がパワーセーブ信号ウィンドウ内でパワーセーブ信号を検出するステップ２０１と、
前記端末が、前記パワーセーブ信号を検出すると、前記パワーセーブ信号が検出された位置との間の距離が所定の時間距離範囲内である目標時間内にＰＤＣＣＨをブラインド検出するステップ２０２とを含む。
【００６２】
本開示の実施例において、上記パワーセーブ信号は、ＰＤＣＣＨのブラインド検出を活性化（又はトリガと呼ぶ）するための信号であり、端末が該パワーセーブ信号を検出すると、上記活性化時間内にＰＤＣＣＨをブラインド検出する。例えば、上記パワーセーブ信号は、ウェイクアップＷＵＳ（Ｗａｋｅｕｐ  Ｓｉｇｎａｌ）であり、上記パワーセーブ信号ウィンドウは、ＷＵＳウィンドウであり、もちろんこれに限定されない。例えば、上記パワーセーブ信号は、プロトコルで定義された他の信号であってもよく、又は、ネットワーク側機器と端末とが予め取り決めた他の信号であってもよい。
【００６３】
ここで、上記パワーセーブ信号ウインドウは、ステップ２０１を実行する前にネットワーク側機器から端末に設定されるか、プロトコルで予め定義されるか、端末に予め設定されるなどが考えられるが、これについて限定しない。
【００６４】
また、上記パワーセーブ信号ウィンドウ内に１つ又は複数の候補位置が含まれ、端末は、その候補位置でパワーセーブ信号を検出する。なお、本開示の実施例において、パワーセーブ信号ウィンドウをパワーセーブ信号送信ウィンドウとも呼び、候補位置を送信候補位置とも呼ぶ。
【００６５】
上記の前記パワーセーブ信号が検出された位置とは、上記パワーセーブ信号ウィンドウ内でパワーセーブ信号が検出された位置である。例えば、上記パワーセーブ信号ウィンドウ内に複数の候補位置が含まれ、端末がその候補位置の１つで上記パワーセーブ信号を検出すると、その候補位置が上記の前記パワーセーブ信号が検出された位置である。
【００６６】
なお、本開示の実施例において、位置は、時間領域における位置を指す。即ち、上記の前記パワーセーブ信号が検出された位置は、上記パワーセーブ信号が検出された時間とも称される。
【００６７】
上記所定の時間距離範囲は、ネットワーク側が端末に設定するか、端末に予め設定されるか、プロトコルで予め定義されたものであり、例えば、０、１０ｕｓ、３４ｕｓ、２５ｕｓ又は１ＯＦＤＭシンボルなどであり、これについて限定しない。
【００６８】
ステップ２０２における、端末が上記パワーセーブ信号を検出すると、目標時間内にＰＤＣＣＨをブラインド検出することは、端末が上記パワーセーブ信号を検出すると、上記目標時間にＰＤＣＣＨをブラインド検出することを活性化（又はトリガと呼ぶ）することを理解することができる。これにより、端末は、上記パワーセーブ信号を検出すると、直ちにＰＤＣＣＨをブラインド検出し、又は１０ｕｓ、３４ｕｓ、２５ｕｓ又は１ＯＦＤＭシンボルなどの時間間隔後にＰＤＣＣＨをブラインド検出することが実現される。
【００６９】
上記ステップにより、パワーセーブ信号が検出された後にＰＤＣＣＨをブラインド検出することが実現され、端末が活性化時間毎にブラインド検出することを回避し、更に端末の消費電力を節約することができる。また、ステップ２０２は、パワーセーブ信号を検出してからＰＤＣＣＨをブラインド検出するので、ＰＤＣＣＨのブラインド検出位置は、パワーセーブ信号が検出された位置に応じて柔軟に決定される。
【００７０】
また、本開示の実施例において、上記方法は、無認可バンド又は認可バンドでのＰＤＣＣＨのブラインド検出に応用可能である。また、上記端末の状態は、接続状態（ＲＲＣ＿Ｃｏｎｎｅｃｔｅｄ）であってもよいし、アイドル状態（ＲＲＣ＿ＩＤＬＥ）や非活性化状態（ＲＲＣ＿Ｉｎａｃｔｉｖｅ）のような非接続状態であってもよい。
【００７１】
選択可能な実施形態として、前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である。
【００７２】
なお、本開示の実施例において、活性化時間は、ＤＲＸ周期内の活性化時間周期、例えば、Ｏｎ  ｄｕｒａｔｉｏｎ周期（略称：ＤＲＸ  ｏｎ周期）を指す。もちろん、活性化化時間は、ウェイクアップ時間と呼ばれてもよい。
【００７３】
また、ネットワーク側機器は、上記端末に複数の活性化時間を予め設定してもよい。ステップ２０２における活性化時間は、ネットワーク側機器から設定された複数の活性化時間のうち、上記の前記パワーセーブ信号が検出された位置を含む活性化時間、又は前記パワーセーブ信号が検出された位置よりも後の活性化時間であり、具体的には、前記パワーセーブ信号が検出された位置に最も近い活性化時間を指す。
【００７４】
上記の前記パワーセーブ信号が検出された位置が、前記活性時間内であるということは、端末が活性化時間内にパワーセーブ信号を検出し、パワーセーブ信号を検出した後に、該活性化時間内にＰＤＣＣＨをブラインド検出することを指す。上記活性化時間が、前記パワーセーブ信号が検出された位置よりも後の活性化時間であるということは、上記パワーセーブ信号ウィンドウが、ある活性化時間よりも前であり、端末が該パワーセーブ信号ウィンドウ内で上記パワーセーブ信号を検出すると、該活性化時間にＰＤＣＣＨをブラインド検出することを指す。ここで、該活性化時間は、上記パワーセーブ信号ウィンドウに最も近い活性化時間と理解することができる。
【００７５】
該実施形態において、端末が活性化時間毎にＰＤＣＣＨをブラインド検出することを回避して、端末の消費電力を節約することができる。例えば、パワーセーブ信号が検出された位置が、上記活性化時間よりも前であると、端末は、該活性化時間の始点にてＰＤＣＣＨのブラインド検出を開始し、又は、パワーセーブ信号が検出された位置が活性化時間内であると、パワーセーブ信号が検出されれば、ＰＤＣＣＨのブラインド検出を開始する。これにより、端末が活性化時間内の始点又は非始点位置からブラインド検出を開始することができるので、端末の消費電力を更に節約することができる。
【００７６】
なお、本開示の実施例において、上記目標時間がＤＲＸの活性化時間であることに限定されない。例えば、ネットワーク側機器がいくつかのシナリオにおいて活性化時間を設定しない場合、上記目標時間は、上記パワーセーブ信号が検出された位置との間の距離が所定の時間距離範囲内である時間領域リソースである。
【００７７】
選択可能な実施形態として、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【００７８】
ここで、上記の「及び／又は」は、以下の３つの態様のいずれかを表す。
第１に、前記端末が接続状態であれば、前記パワーセーブ信号が検出される位置が前記活性化時間内にあり、又は、前記活性化時間は、前記パワーセーブ信号が検出された位置よりも後の活性化時間であるが、非接続状態について限定しない。
第２に、前記端末が非接続状態であれば、前記パワーセーブ信号が検出された位置が前記活性化時間内であるが、接続状態について限定しない。
第３に、前記端末が接続状態であれば、前記パワーセーブ信号が検出された位置が前記活性化時間内であり、又は、前記活性化時間は、前記パワーセーブ信号が検出された位置よりも後の活性化時間であり、且つ、前記端末が非接続状態であれば、前記パワーセーブ信号が検出された位置が前記活性化時間内である。
【００７９】
これにより、端末が接続状態であれば、ある活性化時間内にパワーセーブ信号を送信することが実現され、端末が活性化時間の非始点位置でＰＤＣＣＨのブラインド検出を開始し、端末によるブラインド検出の時間を低減することができる。更に、端末が接続状態であれば、ある活性化時間の前にパワーセーブ信号を送信することが実現され、端末が該活性化時間の始点位置でＰＤＣＣＨのブラインド検出を開始し、接続状態の端末が全ての活性化時間内にＰＤＣＣＨをブラインド検出する必要がない。
【００８０】
また、該実施形態において、端末が非接続状態であれば、ある活性化時間内にパワーセーブ信号を送信することが実現され、端末が活性化時間の非始点位置でＰＤＣＣＨのブラインド検出を開始し、端末によるブラインド検出の時間を低減することができる。
【００８１】
なお、上記非始点位置とは，上記パワーセーブ信号が検出された位置が活性時間内にある場合、該活性時間内における上記パワーセーブ信号が検出された位置との間隔が０であるか、又は所定の値未満の位置を指す。
【００８２】
選択可能な実施形態として、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【００８３】
該実施形態において、パワーセーブ信号ウィンドウを活性化時間の前に設定することが実現でき、このように、パワーセーブ信号が検出された後に、その活性化時間にＰＤＣＣＨブラインド検出を行うことが実現できる。
【００８４】
例えば、ネットワーク側機器は、ＷＵＳウィンドウを周期的に設定する。該ＷＵＳウィンドウは、ＤＲＸの持続時間周期（略称：ＤＲＸ  ｏｎ周期）よりも前であり、図３に示すように、図中のｏｎは、ＤＲＸ周期（ＤＲＸ  ｃｙｃｌｅ）のＤＲＸ  ｏｎ周期を示し、ｏｆｆは、ｏｐｐｏｒｔｕｎｉｔｙ  ｆｏｒ  ＤＲＸ周期（略称：ＤＲＸ  ｏｆｆ周期）を示す。ネットワーク側機器が設定するＷＵＳウィンドウは、ＤＲＸ  ｏｎ周期よりも前であり、ＷＵＳウィンドウ内にＷＵＳの送信候補位置の数は、１である。このように、端末は、ＷＵＳウィンドウ毎にＷＵＳを検出し、ＷＵＳが検出された後のＤＲＸ  ｏｎ周期だけでＰＤＣＣＨをブラインド検出するため、端末の消費電力が大きく低減する。選択可能に、本開示の実施例において、ＰＤＣＣＨは、セル無線ネットワーク一時識別Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）でスクランブルされたＰＤＣＣＨであるが、もちろん、これについて限定しない。
【００８５】
また、上記実施形態において、パワーセーブ信号ウィンドウは、活性化時間よりも前の候補位置を含み、該活性化時間内の候補位置を更に含むことも実現される。即ち、即ち、パワーセーブ信号ウィンドウは、活性化時間の始点を跨ぐ。これにより、端末が活性化時間の始点又は非始点位置でＰＤＣＣＨブラインド検出を開始することができ、端末の消費電力を更に節約することができる。
【００８６】
例えば、図４に示すように、ネットワーク側機器は、ＷＵＳウィンドウを周期的に設定する。ＷＵＳウィンドウは、ＤＲＸ  ｏｎ周期の始点を跨ぎ、ＷＵＳウィンドウ内にＷＵＳの送信候補位置の数は、複数である。端末は、ＷＵＳウィンドウ内の複数の候補位置でＷＵＳを検出する。点線の矩形は、候補位置を示すがＷＵＳ送信が行われない。端末は、真のＷＵＳを検出すると、ＰＤＣＣＨ検出をトリガする。これにより、データ到着をサポートできる時間がＤＲＸ  ｏｎ周期内の任意の時刻であることが実現され、消費電力の低減が一層顕著となる。
【００８７】
また、上記実施形態において、パワーセーブ信号ウインドウが前記活性時間内あることも実現される。これにより、実際の応用においてデータの到着時間が必ずしも活性化時間の始点ではないため、活性化時間内の非始点位置でＰＤＣＣＨのブラインド検出を開始することが実現でき、端末によるＰＤＣＣＨブラインド検出の時間が更に減少し、端末の電力消費を更に節約する。
【００８８】
例えば、図５に示すように、ネットワーク側機器は、ＷＵＳウィンドウを周期的に設定する。ＷＵＳウィンドウは、ＤＲＸ  ｏｎ周期内に位置し、ＷＵＳウィンドウ内にＷＵＳの送信候補位置の数は、複数である。このように、端末は、ＷＵＳウィンドウ内の複数の候補伝送位置でＷＵＳを検出する。点線の矩形は、候補位置を示すがＷＵＳ送信が行われない。端末は、真のＷＵＳを検出すると、ＰＤＣＣＨ検出をトリガする。データの到着時間が必ずしもＤＲＸ  ｏｎ周期の始点ではないため、端末によるＰＤＣＣＨブラインド検出の時間は、大幅に減少する場合があり、消費電力が著しく低下する。
【００８９】
選択可能な実施形態として、前記端末が、前記パワーセーブ信号の候補位置で低消費電力受信機で前記パワーセーブ信号を検出し、又は、
前記端末が、前記パワーセーブ信号をパッシブ受信機で検出し、ここで、前記パワーセーブ信号の検出位置は、少なくとも、前記パワーセーブ信号ウィンドウが存在する位置を含む。
【００９０】
ここで、上記低消費電力受信機は、受信データチャネルとは別の無線回路であってもよく、該低消費電力受信機及び受信データチャネルの受信機は、低消費電力である。
【００９１】
例えば、広いカバレッジを希望する認可バンドＮＲシナリオにおいて、パワーセーブ信号の送信及び受信に専用のよりも低いバンドで動作する無線回路を用いる。もちろん、データとパワーセーブ信号の同一周波数送受信が除外されないが、異なる無線チャネルが用いられる。この場合、パワーセーブ信号受信回路は、データ受信回路よりも、低雑音増幅器や位相同期ループなどの高消費電力機器を省いて、低消費電力のパワーセーブ信号受信機を実現し、端末の消費電力を更に低減する。
【００９２】
上記パッシブ受信機とは、パワーセーブ信号を検出する際に電源を必要としない受信機を指す。例えば、パッシブ受信回路によりもパワーセーブ信号を検出し、パッシブ受信回路により送信信号の電力でパワーセーブ信号検出を実現し、受信機をウェイクアップする。端末が電力を消費しないため、パワーセーブ信号を良好に受信することができる。この方式は、カバー距離典型シナリオ（例えばカバー距離が１００ｍ）の無認可バンドのパワーセーブに適用可能である。また、上記のパッシブ受信機を用いて前記パワーセーブ信号を検出することは、端末がパッシブ受信機を用いて常にパワーセーブを検出していることであり、パッシブなエネルギー検出受信機が電力を消費する必要がないため、端末の消費電力を更に低減することができる。
【００９３】
選択可能な実施形態として、前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンド（ｏｎ−ｄｅｍａｎｄ）で設定される。
【００９４】
例えば、ネットワーク側機器は、ＤＲＸの送信周期に応じて、パワーセーブ信号ウィンドウを設定し、パワーセーブ信号の候補位置がＤＲＸ  ｏｎ周期内部にあり、パワーセーブ信号ウィンドウ内におけるパワーセーブ信号の送信候補位置の数は、１又は複数である。
【００９５】
上記パワーセーブ信号ウィンドウに含まれる複数の候補位置の間の時間間隔が等しいということは、パワーセーブ信号ウィンドウ内に複数の候補位置が等時間間隔で設定されることである。もちろん、本開示の実施例において、これについて限定せず、例えば、等しくない時間間隔を設定してもよい。
【００９６】
上記の前記パワーセーブ信号の送信元の事前情報に基づいて決定されるということは、前記パワーセーブ信号の送信元（例えばネットワーク側機器）が事前情報に基づいてパワーセーブ信号ウィンドウ内の候補位置を決定することである。例えば、無認可バンドデータ伝送の可能な始点は、予め決定されてもよく、ＤＲＸ  ｏｎ周期の始点とサブフレーム境界とが所定の対応関係にある場合に、無認可バンドデータの可能な伝送始点の事前情報に基づいて、各パワーセーブ信号候補位置を予め決定する。もちろん、上記事前情報は、無認可バンドデータの可能な伝送始点の事前情報に限定されず、例えば認可バンドデータの可能な伝送始点の事前情報や、伝送可能な区間の事前情報などであってもよい。
【００９７】
該実施形態において、パワーセーブ信号の候補位置が事前情報によって決定されるので、候補位置とデータ伝送の始点とをよりも近いものにすることができ、端末によるブラインド検出が必要な位置を少なくすることができ、端末の消費電力を更に削減することができる。
【００９８】
上記パワーセーブ信号ウィンドウ内の候補位置がオンデマンドで設定されるということは、候補位置が実際の要望に応じて決定されることであり、候補位置と実際のデータ伝送位置とをよりも近いものにすることができ、端末によるブラインド検出が必要な位置を少なくすることができ、端末の消費電力を更に削減することができる。
【００９９】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定値を超えない。
【０１００】
ここで、上記所定の値は、プロトコルで予め定義されているものや、ネットワーク側機器によって予め設定されているものなどである。例えば、所定の値は、３４ｕｓ  ｏｒ  ２５ｕｓ  ｏｒ  １ＯＦＤＭシンボル（ｓｙｍｂｏｌ）とすることができる。上記の前記パワーセーブ信号を伝送する候補位置は、即ちステップ２０２で前記パワーセーブ信号が検出された位置である。該候補位置でパワーセーブ信号を伝送すると、端末が該候補位置で該パワーセーブ信号を検出するからである。
【０１０１】
該実施形態において、前記パワーセーブ信号を伝送する候補位置と前記ＰＤＣＣＨとの間の間隔が０であり、又は、前記パワーセーブ信号を伝送する候補位置と前記ＰＤＣＣＨとの間の間隔が所定値を超えないため、端末は、ＰＤＣＣＨのブラインド検出がトリガされると、直ちにＰＤＣＣＨを検出することができ、端末の電力消費を更に節約することができる。なお、該実施形態において、パワーセーブ信号ウィンドウ内には、１又は複数の候補位置が含まれる。
【０１０２】
例えば、ＷＵＳウィンドウ内にｏｎ−ｄｅｍａｎｄ方式で候補位置を設定し、ＷＵＳは、端末のＰＤＣＣＨとの間のギャップ（ｇａｐ）が０であり、又はある所定の値を超えない位置で送信される。端末がＷＵＳを検出すると、直ちにＰＤＣＣＨ受信データを検出するステップに入るが、この特徴は、図６に示されるように、無認可バンドに特に適しており、余分なＰＤＣＣＨのブラインド検出を完全に回避する。もちろん、この方式は、認可バンドに対しても、同様に最小の消費電力オーバーヘッドを可能にする。この方式は、実際にはＷＵＳ送信ウィンドウ内に１つの伝送位置しか持たず、端末によるＷＵＳ検出が必要なウィンドウは、ＷＵＳ送信ウィンドウと定義し、端末にとっては、ＷＵＳウィンドウ内で常にＷＵＳを検出する。また、端末は、受信データチャネルとは別の無線回路でＷＵＳを受信し、例えば、広いカバレッジを希望する認可バンドＮＲシナリオにおいて、ＷＵＳ信号の送信及び受信に専用のよりも低いバンドで動作する無線回路を用いる。もちろん、データとＷＵＳの同一周波数送受信が除外されないが、異なる無線チャネルが用いられる。この場合、ＷＵＳ受信回路は、データ受信回路よりも、低雑音増幅器や位相同期ループなどの高消費電力機器を省いて、低消費電力のＷＵＳ受信機を実現する。もちろん、端末は、パッシブなエネルギー検出受信機で常にＷＵＳを検出してもよい。ここのパッシブなエネルギー検出受信機とは、ＷＵＳ信号を検出する際に電源を必要としない受信機を指す。例えば、パッシブ受信回路によりＷＵＳ信号を検出し、パッシブ受信回路により送信信号の電力でＷＵＳ検出を実現し、受信機をウェイクアップする。端末が電力を消費しないため、ＷＵＳを良好に受信することができる。この方式は、カバー距離典型シナリオが１００ｍの無認可バンドのパワーセーブに適用可能である。
【０１０３】
選択可能な実施形態として、前記パワーセーブ信号は、第１信号サブセットと第２信号サブセットを含み、且つ前記第１信号サブセットは、前記第２信号サブセットよりも前である。
【０１０４】
ここで、上記第１信号サブセットは、１つ又は複数のシンボルであってもよく、同様に、上記第２信号サブセットは、１つ又は複数のシンボルであってもよい。なお、上記第１信号サブセット及び第２信号サブセットは、１つのパワーセーブ信号の２つのサブセットと呼んでもよいし、もちろん、２つの異なるパワーセーブ信号と呼んでもよい。また、上記第１信号サブセットは、上記パワーセーブ信号ウィンドウ内の１つの候補位置を通じて送信され、上記第２信号サブセットは、パワーセーブ信号ウィンドウ内の候補位置ではなく、パワーセーブ信号ウィンドウ内でＰＤＣＣＨに最も近い非候補位置を通じて送信される。もちろん、第２信号サブセットは、パワーセーブ信号ウィンドウ内のある候補位置で送信されてもよい。
【０１０５】
該実施形態において、第１信号サブセット及び第２信号サブセットを通じて端末のＰＤＣＣＨブラインド検出をトリガするので、１つの信号サブセットを通じて端末をウェイクアップし、別の信号サブセットを通じて端末のＰＤＣＣＨブラインド検出をトリガすることが実現され、端末の電力消費を更に節約することができる。
例えば、上記端末は、前記パワーセーブ信号を検出すると、ＤＲＸの活性化時間内にＰＤＣＣＨをブラインド検出することは、
前記端末が、前記第１信号サブセットを検出すると、前記端末の受信機をウェイクアップすることと、
前記端末が、前記第２信号サブセットを検出すると、ＤＲＸの活性化時間内にＰＤＣＣＨをブラインド検出することを含む。
【０１０６】
ここで、上記の前記端末をウェイクアップする受信機は、端末の送信電力が立ち上がり、その後、パワーセーブ信号ウィンドウ内の全ての位置で第２信号サブセットを検出し、第２信号サブセットが検出された後に、ＰＤＣＣＨのブラインド検出を開始する。
【０１０７】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定値を超えない。
【０１０８】
第２信号サブセットが存在する位置と前記ＰＤＣＣＨとの間の間隔が０であり、又は、所定値を超えないので、端末によるＰＤＣＣＨブラインド検出の時間が更に低減され、端末の電力消費が更に節約される。
【０１０９】
選択可能に、前記第１信号サブセットの受信複雑度は、前記第２信号サブセットの受信複雑度よりも高い。このように、第２信号サブセットの受信複雑度（又は検出複雑度と呼ぶ）が比較的低いため、第２信号サブセットが検出された後にＰＤＣＣＨを直ちにＰＤＣＣＨをブラインド検出することが実現され、端末によるＰＤＣＣＨブラインド検出が必要な位置を更に減少させることができる。
【０１１０】
例えば、図７に示されるＰＤＣＣＨブラインド検出方式は、最適な省電力方式である。該実施形態において、先に紹介したｏｎ−ｄｅｍａｎｄ方式によるＷＵＳ送信よりも、該実施形態は、標準からの変更が少ない。例えばネットワーク側機器がＤＲＸの送信周期に応じてＷＵＳウィンドウを設定し、ＷＵＳウィンドウ内のＷＵＳ候補伝送位置が決定される。基地局は、データが送信すべきであることを事前に知ることができれば、図７に示されるように、ある候補位置でＷＵＳ信号の１つの信号サブセット（略称：サブセット）を送信し、次いで、ＰＤＣＣＨの前にＷＵＳの別のサブセットを送信し、最後に、ＰＤＣＣＨから０又はある所定の値を超えない距離の位置でＷＵＳの別のサブセットを送信する。ネットワーク側機器は、データが到来する前のあるＷＵＳ候補位置でＷＵＳサブセット１を送信する。該送信位置は、ＷＵＳウィンドウ内で後に寄るほどよいことが好ましいが、もちろん、該候補位置は、持続期間周期の前にあってもよく、且つＷＵＳサブセット１は、ＷＵＳサブセット２よりも明らかに大きい受信複雑度を有することが好ましい。ネットワーク側機器は、ＰＤＣＣＨから０又はすぐ近くの位置でＷＵＳサブセット２を送信する。ＷＵＳサブセット２は、必ずしも、元の予め定義されたＷＵＳ候補送信位置で伝送されないが、ＷＵＳサブセット２の受信複雑度が低いため、端末は、ＷＵＳサブセット１を受信した後のＷＵＳウィンドウ内のすべての位置でＷＵＳサブセット２を検出することができる。ＷＵＳサブセット１の伝送位置は、許容される最後の候補位置であってもよいが、ＷＵＳサブセット２の常時検出に残される時間は、短い。ＷＵＳサブセット２の検出複雑度が低いので、端末の受信電力を更に低減することができる。
【０１１１】
選択可能に、本開示の実施例において、前記端末は、ネットワーク側機器から設定される前記パワーセーブ信号ウィンドウの設定情報を半静的、静的又は動的に取得する。
【０１１２】
ここで、上記設定情報とは、パワーセーブ信号ウィンドウの設定に関する情報であり、例えばウィンドウの大きさ、位置及び候補送信位置の個数などの一部又は全部の情報である。
【０１１３】
例えば、ネットワーク側機器は、例えばウィンドウの大きさ、位置及び候補送信位置の個数などの一部又は全部の情報であるパワーセーブ信号ウィンドウ関連情報を、半静的、静的又は動的に端末に設定する。ネットワーク側機器からパワーセーブ信号ウィンドウの設定情報をシステム情報によって通知することが好ましい。
【０１１４】
本開示の実施例において、端末は、パワーセーブ信号ウィンドウ内でパワーセーブ信号を検出し、前記パワーセーブ信号を検出すると、不連続受信ＤＲＸの活性化時間内にＰＤＣＣＨをブラインド検出する。ここで、前記活性化時間は、ネットワーク側機器によって設定され、且つ前記パワーセーブ信号が検出された位置が前記活性化時間内にあり、又は、前記活性化時間は、ネットワーク側機器によって設定され、且つ前記パワーセーブ信号が検出された位置よりも後の活性化時間である。これにより、パワーセーブ信号によってＰＤＣＣＨのブラインド検出をトリガすることが実現され、端末の消費電力を低減することができる。
【０１１５】
図８を参照する。図８は、本開示の実施例に係るＰＤＣＣＨモニタリングのフローチャートである。図８に示すように、
ネットワーク側機器からパワーセーブ信号ウィンドウ内でパワーセーブ信号を送信するステップ８０１を含み、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する。
【０１１６】
選択可能に、前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である。
【０１１７】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【０１１８】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【０１１９】
選択可能に、前記ネットワーク側機器が、前記パワーセーブ信号を低消費電力送信機で送信する。
【０１２０】
選択可能に、前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される。
【０１２１】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【０１２２】
選択可能に、前記パワーセーブ信号は、第１信号サブセットと第２信号サブセットを含み、且つ前記第１信号サブセットは、前記第２信号サブセットよりも前である。
【０１２３】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【０１２４】
選択可能に、前記ネットワーク側機器が、前記パワーセーブ信号ウィンドウの設定情報を半静的、静的又は動的に前記端末に設定する。
【０１２５】
なお、本実施例は、図２に示す実施例に対応するネットワーク側機器の実施形態として、その具体的な実施形態について、図２に示す実施例の関連説明を参照し、重複を避けるために、本実施例では繰り返さず、且つ同じ効果を奏することもできる。
【０１２６】
図９を参照する。図９は、本開示の実施例に係る端末の構造図である。図９に示すように、端末９００は、
端末がパワーセーブ信号ウィンドウ内でパワーセーブ信号を検出するための検出モジュール９０１と、
前記パワーセーブ信号が検出されると、前記パワーセーブ信号が検出された位置との間の距離が所定の時間距離範囲内である目標時間内にＰＤＣＣＨをブラインド検出するためのブラインド検出モジュール９０２とを含む。
【０１２７】
選択可能に、前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である。
【０１２８】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【０１２９】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【０１３０】
選択可能に、前記端末が、前記パワーセーブ信号の候補位置で低消費電力受信機で前記パワーセーブ信号を検出し、又は、
前記端末が、前記パワーセーブ信号をパッシブ受信機で検出し、ここで、前記パワーセーブ信号の検出位置は、少なくとも、前記パワーセーブ信号ウィンドウが存在する位置を含む。
【０１３１】
選択可能に、前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される。
【０１３２】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【０１３３】
選択可能に、前記パワーセーブ信号は、第１信号サブセットと第２信号サブセットを含み、且つ前記第１信号サブセットは、前記第２信号サブセットよりも前である。
【０１３４】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【０１３５】
選択可能に、前記ブラインド検出方モジュール９０２は、前記第１信号サブセットを検出すると、前記端末の受信機をウェイクアップし、前記第２信号サブセットを検出すると、ＤＲＸの活性化時間内にＰＤＣＣＨをブラインド検出する。
【０１３６】
選択可能に、前記端末が、ネットワーク側機器から設定される前記パワーセーブ信号ウィンドウの設定情報を半静的、静的又は動的に取得する。
【０１３７】
なお、本実施例に係る上記端末９００は、本開示の実施例の方法実施例における任意の実施形態の端末であってもよく、本開示の実施例の方法実施例における端末の任意の実施形態を本実施例に係る上記端末９００によって実現することができ、同じ効果を奏することもできるので、ここでは繰り返さない。
【０１３８】
図１０を参照する。図１０は、本開示の実施例に係るネットワーク側機器の構造図である。図１０に示すように、ネットワーク側機器１０００は、
パワーセーブ信号ウィンドウ内でパワーセーブ信号を送信するための送信モジュール１００１を含み、
前記送信モジュール１００１による送信によって、端末が、前記パワーセーブ信号を検出すると、前記パワーセーブ信号が検出された位置との間の距離が所定の時間距離範囲内である目標時間内にＰＤＣＣＨをブラインド検出する。
【０１３９】
選択可能に、前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である。
【０１４０】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【０１４１】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【０１４２】
選択可能に、前記ネットワーク側機器が、前記パワーセーブ信号を低消費電力送信機で送信する。
【０１４３】
選択可能に、前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される。
【０１４４】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【０１４５】
選択可能に、前記パワーセーブ信号は、第１信号サブセットと第２信号サブセットを含み、且つ前記第１信号サブセットは、前記第２信号サブセットよりも前である。
【０１４６】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【０１４７】
選択可能に、前記ネットワーク側機器が、前記パワーセーブ信号ウィンドウの設定情報を半静的、静的又は動的に前記端末に設定する。
【０１４８】
なお、本実施例に係る上記ネットワーク側機器１２００は、本開示の実施例の方法実施例における任意の実施形態のネットワーク側機器であってもよく、本開示の実施例の方法実施例におけるネットワーク側機器の任意の実施形態を本実施例に係る上記ネットワーク側機器１２００によって実現することができ、同じ効果を奏することもできるので、ここでは繰り返さない。
【０１４９】
図１１を参照する。図１１は、本開示の実施例に係る別の端末の構造図である。図１１に示すように、該端末は、トランシーバ１１１０と、メモリ１１２０と、プロセッサ１１００と、前記メモリ１１２０に格納されて前記プロセッサ１２００で動作可能なプログラムを含む。
ここで、前記プロセッサは、パワーセーブ信号ウィンドウ内でパワーセーブ信号を検出し、前記パワーセーブ信号を検出すると、前記パワーセーブ信号が検出された位置との間の距離が所定の時間距離範囲内である目標時間内にＰＤＣＣＨをブラインド検出する。
【０１５０】
ここで、トランシーバ１１１０は、プロセッサ１１００による制御でデータを送受信する。
【０１５１】
図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースによりも、インタフェースが提供される。トランシーバ１１１０は、複数の部品であってもよく、即ち送信機と受信機を含み、伝送媒体でほかの各種類の装置と通信するユニットとして提供される。
【０１５２】
プロセッサ１１００は、バスアーキテクチャと通常の処理を管理する。メモリ１１２０は、プロセッサ１１００による操作実行に使用されるデータを記憶できる。
【０１５３】
なお、メモリ１１２０は、端末のみに位置することに限定されず、メモリ１１２０とプロセッサ１１００を異なる地理的位置に分離させてもよい。
【０１５４】
選択可能に、前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である。
【０１５５】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【０１５６】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【０１５７】
選択可能に、前記プロセッサは、前記パワーセーブ信号の候補位置で低消費電力受信機で前記パワーセーブ信号を検出し、又は、
前記プロセッサは、前記パワーセーブ信号をパッシブ受信機で検出し、ここで、前記パワーセーブ信号の検出位置は、少なくとも、前記パワーセーブ信号ウィンドウが存在する位置を含む。
【０１５８】
選択可能に、前記パワーセーブ信号ウィンドウに含まれる複数の候補位置の間の時間間隔は、等しく、又は、
前記パワーセーブ信号ウィンドウ内の候補位置は、前記パワーセーブ信号の送信元の事前情報に基づいて決定され、又は、
前記パワーセーブ信号ウィンドウ内の候補位置は、オンデマンドで設定される。
【０１５９】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【０１６０】
選択可能に、前記パワーセーブ信号は、第１信号サブセットと第２信号サブセットを含み、且つ前記第１信号サブセットは、前記第２信号サブセットよりも前である。
【０１６１】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【０１６２】
選択可能に、前記パワーセーブ信号を検出すると、ＤＲＸの活性化時間内にＰＤＣＣＨをブラインド検出することは、
前記第１信号サブセットを検出すると、前記端末の受信機をウェイクアップすることと、
前記第２信号サブセットを検出すると、ＤＲＸの活性化時間内にＰＤＣＣＨをブラインド検出することを含む。
【０１６３】
選択可能に、前記端末が、ネットワーク側機器から設定される前記パワーセーブ信号ウィンドウの設定情報を半静的、静的又は動的に取得する。
【０１６４】
なお、本実施例に係る上記端末は、本開示の実施例の方法実施例における任意の実施形態の端末であってもよく、本開示の実施例の方法実施例における端末の任意の実施形態を本実施例に係る上記端末によって実現することができ、同じ効果を奏することもできるので、ここでは繰り返さない。
【０１６５】
図１２を参照する。図１２は、本開示の実施例に係る別のネットワーク側機器の構造図である。図１２に示すように、該ネットワーク側機器は、トランシーバ１２１０と、メモリ１２２０と、プロセッサ１２００と、前記メモリ１２２０に格納されて前記プロセッサで動作可能なプログラムを含む。
ここで、前記プロセッサ１２００は、パワーセーブ信号ウィンドウ内でパワーセーブ信号を送信し、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する。
【０１６６】
ここで、トランシーバ１２１０は、プロセッサ１２００による制御でデータを送受信する。
【０１６７】
図１２において、バスアーキテクチャは、任意数の相互接続するバスとブリッジを含み、具体的に、プロセッサ１２００をはじめとする１つ又は複数のプロセッサとメモリ１２２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースによりも、インタフェースが提供される。トランシーバ１２１０は、複数の部品であってもよく、即ち送信機と受信機を含み、伝送媒体でほかの各種類の装置と通信するユニットとして提供される。
【０１６８】
プロセッサ１２００は、バスアーキテクチャと通常の処理を管理する。メモリ１２２０は、プロセッサ１２００による操作実行に使用されるデータを記憶できる。
【０１６９】
なお、メモリ１２２０は、端末のみに位置することに限定されず、メモリ１２２０とプロセッサ１２００を異なる地理的位置に分離させてもよい。
【０１７０】
選択可能に、前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である。
【０１７１】
選択可能に、前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある。
【０１７２】
選択可能に、前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む。
【０１７３】
選択可能に、前記プロセッサは、前記パワーセーブ信号を低消費電力送信機で送信する。
【０１７４】
選択可能に、前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される。
【０１７５】
選択可能に、前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない。
【０１７６】
選択可能に、前記パワーセーブ信号は、第１信号サブセットと第２信号サブセットを含み、且つ前記第１信号サブセットは、前記第２信号サブセットよりも前である。
【０１７７】
選択可能に、前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない。
【０１７８】
選択可能に、前記ネットワーク側機器が、前記パワーセーブ信号ウィンドウの設定情報を半静的、静的又は動的に前記端末に設定する。
【０１７９】
なお、本実施例に係る上記ネットワーク側機器は、本開示の実施例の方法実施例における任意の実施形態のネットワーク側機器であってもよく、本開示の実施例の方法実施例におけるネットワーク側機器の任意の実施形態を本実施例に係る上記ネットワーク側機器によって実現することができ、同じ効果を奏することもできるので、ここでは繰り返さない。
【０１８０】
本開示の実施例は、コンピュータプログラムが格納されているコンピュータ読み取り可能な記憶媒体を更に提供し、該プログラムがプロセッサによって実行されると、本開示の実施例に係る端末側のＰＤＣＣＨブラインド検出方法のステップが実現され、又は、該プログラムがプロセッサによって実行されると、本開示の実施例に係るネットワーク側機器側のＰＤＣＣＨモニタリング方法のステップが実現される。
【０１８１】
本願で提供されるいくつかの実施例において、開示された方法及び装置は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１８２】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、又はハードウェアとソフトウェア機能ユニットの形態で実施することができる。
【０１８３】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０１８４】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021525494.tif 000003
【図２】
2021525494.tif 000004
【図３】
2021525494.tif 000005
【図４】
2021525494.tif 000006
【図５】
2021525494.tif 000007
【図６】
2021525494.tif 000008
【図７】
2021525494.tif 000009
【図８】
2021525494.tif 000010
【図９】
2021525494.tif 000011
【図１０】
2021525494.tif 000012
【図１１】
2021525494.tif 000013
【図１２】
2021525494.tif 000014
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
物理下り制御チャネルＰＤＣＣＨブラインド検出方法において、
端末がパワーセーブ信号ウィンドウ内でパワーセーブ信号を検出することと、
前記端末が、前記パワーセーブ信号を検出すると、前記パワーセーブ信号が検出された位置との間の距離が所定の時間距離範囲内である目標時間内にＰＤＣＣＨをブラインド検出することと、
を含む、ＰＤＣＣＨブラインド検出方法。
【請求項２】
前記目標時間は、不連続受信ＤＲＸの活性化時間であり、
ここで、前記活性化時間は、ネットワーク側機器によって設定され、且つ前記パワーセーブ信号が検出された位置が前記活性化時間内にあり、又は、
前記活性化時間は、ネットワーク側機器によって設定された複数の活性化時間のうち、前記パワーセーブ信号が検出された位置よりも後の活性化時間である、請求項１に記載の方法。
【請求項３】
前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある、請求項２に記載の方法。
【請求項４】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項２に記載の方法。
【請求項５】
前記パワーセーブ信号は、第１信号サブセットと第２信号サブセットを含み、且つ前記第１信号サブセットは、前記第２信号サブセットよりも前であり、
前記端末が、前記パワーセーブ信号を検出すると、ＤＲＸの活性化時間内にＰＤＣＣＨをブラインド検出することは、
前記端末が、前記第１信号サブセットを検出すると、前記端末の受信機をウェイクアップすることと、
前記端末が、前記第２信号サブセットを検出すると、ＤＲＸの活性化時間内にＰＤＣＣＨをブラインド検出することを含む、請求項１〜４のいずれか一項に記載の方法。
【請求項６】
ＰＤＣＣＨモニタリング方法において、
ネットワーク側機器からパワーセーブ信号ウィンドウ内でパワーセーブ信号を送信することを含み、
前記パワーセーブ信号の送信によって、端末が、前記パワーセーブ信号を検出すると、前記パワーセーブ信号が検出された位置との間の距離が所定の時間距離範囲内である目標時間内にＰＤＣＣＨをブラインド検出する、ＰＤＣＣＨモニタリング方法。
【請求項７】
前記目標時間は、不連続受信ＤＲＸの活性化時間であり、
ここで、前記活性化時間は、前記ネットワーク側機器によって設定され、且つ前記パワーセーブ信号が検出された位置が前記活性化時間内にあり、又は、
前記活性化時間は、前記ネットワーク側機器によって設定された複数の活性化時間のうち、前記パワーセーブ信号が検出された位置よりも後の活性化時間である、請求項６に記載の方法。
【請求項８】
前記端末が接続状態である場合、前記パワーセーブ信号が検出された位置は、前記活性化時間内にあり、又は、前記活性化時間は、前記パワーセーブ信号が検出された位置よりも後の活性化時間であり、及び／又は、
前記端末が非接続状態である場合、前記パワーセーブ信号が検出された位置は、前記活性化時間内にある、請求項７に記載の方法。
【請求項９】
前記パワーセーブ信号ウィンドウは、前記活性化時間よりも前にあり、且つ、前記パワーセーブ信号ウィンドウは、１つ又は複数の候補位置を含み、又は、
前記パワーセーブ信号ウィンドウは、前記活性化時間よりも前の候補位置を含み、前記活性化時間内の候補位置を更に含み、又は、
前記パワーセーブ信号ウィンドウは、前記活性化時間内にあり、且つ、前記パワーセーブ信号ウィンドウは、１つ又は複数の候補位置を含む、請求項７に記載の方法。
【請求項１０】
前記パワーセーブ信号ウィンドウに含まれる複数の候補位置の間の時間間隔は、等しく、又は、
前記パワーセーブ信号ウィンドウ内の候補位置は、前記ネットワーク側機器の事前情報に基づいて決定され、又は、
前記パワーセーブ信号ウィンドウ内の候補位置は、オンデマンドで設定される、請求項６〜９のいずれか一項に記載の方法。
【請求項１１】
前記パワーセーブ信号ウィンドウ内の候補位置がオンデマンドで設定される場合、前記パワーセーブ信号を伝送する候補位置と前記ＰＤＣＣＨとの間の間隔は、０であり、又は、前記パワーセーブ信号を伝送する候補位置と前記ＰＤＣＣＨとの間の間隔は、所定の値を超えない、請求項１０に記載の方法。
【請求項１２】
前記パワーセーブ信号は、第１信号サブセットと第２信号サブセットを含み、且つ前記第１信号サブセットは、前記第２信号サブセットよりも前である、請求項６〜９のいずれか一項に記載の方法。
【請求項１３】
前記第２信号サブセットが存在する位置と前記ＰＤＣＣＨとの間の間隔は、０であり、又は、前記第２信号サブセットが存在する位置と前記ＰＤＣＣＨとの間の間隔は、所定の値を超えない、請求項１２に記載の方法。
【請求項１４】
前記ネットワーク側機器が、前記パワーセーブ信号ウィンドウの設定情報を半静的、静的又は動的に前記端末に設定する、請求項６〜９のいずれか一項に記載の方法。
【請求項１５】
端末がパワーセーブ信号ウィンドウ内でパワーセーブ信号を検出するための検出モジュールと、
前記パワーセーブ信号が検出されると、前記パワーセーブ信号が検出された位置との間の距離が所定の時間距離範囲内である目標時間内にＰＤＣＣＨをブラインド検出するためのブラインド検出モジュールと、
を含む、端末。
【請求項１６】
パワーセーブ信号ウィンドウ内でパワーセーブ信号を送信するための送信モジュールを含み、
前記送信モジュールによる送信によって、端末が、前記パワーセーブ信号を検出すると、前記パワーセーブ信号が検出された位置との間の距離が所定の時間距離範囲内である目標時間内にＰＤＣＣＨをブラインド検出する、ネットワーク側機器。
【国際調査報告】
2021525494.tif 000015
2021525494.tif 000016
2021525494.tif 000017
2021525494.tif 000018